【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
少なくとも２本のフレーム枠材と、前記フレーム枠材の間に、複数のリードフレームを少なくとも単列配置した、複数のリードフレーム条と、隣接する前記リードフレーム条の間に架かり、前記隣接するリードフレーム条どうしを連結する複数の第１ブリッジと、前記フレーム枠材と該フレーム枠材に隣接する前記リードフレーム条との間に架かり、前記フレーム枠材に前記隣接するリードフレーム条を保持する複数の第２ブリッジとを備えたリードフレームシートのブリッジをポンチにより切除するブリッジ切除方法であって、
前記ポンチは、Ｘ−Ｙ２方向に移動可能であり、
前記第１ブリッジ及び前記第２ブリッジと重なるように位置決めされ、
前記第１ブリッジ及び前記第２ブリッジの全領域と、前記第１ブリッジが連結する２つの前記リードフレーム条の一部の領域、又は前記第２ブリッジが連結する前記フレーム枠材及び前記リードフレーム条の一部の領域に重なる大きさに形成され、
前記ポンチにより、前記第１ブリッジ及び前記第２ブリッジの全領域と、前記第１ブリッジが連結する２つの前記リードフレーム条の一部の領域、又は前記第２ブリッジが連結する前記フレーム枠材及び前記リードフレーム条の一部の領域とが切除されることにより、前記リードフレームシートから前記リードフレーム条を分離し、更に前記リードフレーム条どうしを分離し、分離された前記リードフレーム条には食い込みが形成されるブリッジ切除方法。
【請求項２】
前記ポンチは、角ポンチである、請求項１に記載のブリッジ切除方法。
【請求項３】
前記角ポンチは長方形である、請求項２に記載のブリッジ切除方法。
【請求項４】
前記角ポンチは隅部を面取りした、請求項２または３に記載のブリッジ切除方法。
【請求項５】
前記ポンチは丸ポンチである、請求項１に記載のブリッジ切除方法。
【請求項６】
請求項１乃至５のいずれか１項に記載のブリッジ切除方法により複数のブリッジを切除して条分けしたリードフレーム条。
【手続補正２】
【補正対象書類名】明細書
【補正対象項目名】発明の名称
【補正方法】変更
【補正の内容】
【発明の名称】ブリッジ切除方法及びリードフレーム条
【手続補正３】
【補正対象書類名】明細書
【補正対象項目名】０００４
【補正方法】変更
【補正の内容】
【０００４】
図１に、従来のリードフレームをマトリクス状に多面付けしたフレーム枠材付きリードフレームシートを一例に示す。図１に示すリードフレームシート５００は、複数のリード１１０を有したリードフレームが１条に単列３面付けされ、３面付けされたリードフレーム条１００が２条に配置されている。２条に配列されたリードフレーム条１００の外周には、フレーム枠材２１０が配置され、フレーム枠材２１０とリードフレーム条１００の間に複数のブリッジ２２０が架かり、フレーム枠材２１０にリードフレーム条１００を連結、保持している。また、隣接するリードフレーム条１００の間に複数のブリッジ２２０が架かり、隣接するリードフレーム条１００どうしを連結した構造となっている。なお、破線で示した枠１５０が電子部品搭載用領域である。
【手続補正４】
【補正対象書類名】明細書
【補正対象項目名】０００５
【補正方法】変更
【補正の内容】
【０００５】
このようなリードフレームシート５００の複数のブリッジ２２０は、大きな応力が生じる絶縁樹脂の熱圧着工程に耐えうる十分な強度を有するものとして形成されている。このため、リードフレームシート５００から各リードフレーム条１００を容易に分離することはできない。
【手続補正５】
【補正対象書類名】明細書
【補正対象項目名】００１１
【補正方法】変更
【補正の内容】
【００１１】
本発明によれば、少なくとも２本のフレーム枠材と、前記フレーム枠材の間に、複数のリードフレームを少なくとも単列配置した、複数のリードフレーム条と、隣接する前記リードフレーム条の間に架かり、前記隣接するリードフレーム条どうしを連結する複数の第１ブリッジと、前記フレーム枠材と該フレーム枠材に隣接する前記リードフレーム条との間に架かり、前記フレーム枠材に前記隣接するリードフレーム条を保持する複数の第２ブリッジとを備えたリードフレームシートのブリッジをポンチにより切除するブリッジ切除方法であって、前記ポンチは、Ｘ−Ｙ２方向に移動可能であり、前記第１ブリッジ及び前記第２ブリッジと重なるように位置決めされ、前記第１ブリッジ及び前記第２ブリッジの全領域と、前記第１ブリッジが連結する２つの前記リードフレーム条の一部の領域、又は前記第２ブリッジが連結する前記フレーム枠材及び前記リードフレーム条の一部の領域に重なる大きさに形成され、前記ポンチにより、前記第１ブリッジ及び前記第２ブリッジの全領域と、前記第１ブリッジが連結する２つの前記リードフレーム条の一部の領域、又は前記第２ブリッジが連結する前記フレーム枠材及び前記リードフレーム条の一部の領域とが切除されることにより、前記リードフレームシートから前記リードフレーム条を分離し、更に前記リードフレーム条どうしを分離し、分離された前記リードフレーム条には食い込みが形成されることにより解決することができる。
【手続補正６】
【補正対象書類名】明細書
【補正対象項目名】００１２
【補正方法】変更
【補正の内容】
【００１２】
また、前記ポンチは角ポンチであっても良く、前記角ポンチは長方形であっても良い。また前記角ポンチは隅部を面取りしても良い。更に前記ポンチは丸ポンチであっても良い。また、本発明は、上述したブリッジ切除方法により複数のブリッジを切除して条分けしたリードフレーム条である。
【手続補正７】
【補正対象書類名】明細書
【補正対象項目名】００１６
【補正方法】変更
【補正の内容】
【００１６】
このリードフレームシート５０は、金属板から一体的に形成されるものであり、複数のリード（図示せず）を含むリードフレームが１条に単列配置されたリードフレーム条１０となり、それが３条に配置されている。
【手続補正８】
【補正対象書類名】明細書
【補正対象項目名】００１７
【補正方法】変更
【補正の内容】
【００１７】
３条に配列されたリードフレーム条１０の両側には、フレーム枠材２１が配置され、フレーム枠材２１とリードフレーム条１０の間に複数のブリッジ２２が架かり、フレーム枠材２１とリードフレーム条１０を連結、保持している。また、３条に配列されたリードフレーム条１０は、隣接するリードフレーム条どうしが、複数のブリッジ２２によって連結された構造となっている。
【手続補正９】
【補正対象書類名】明細書
【補正対象項目名】００１９
【補正方法】変更
【補正の内容】
【００１９】
図３は、平面的にみたブリッジ２２の拡大図である。このブリッジ２２は、平面的にみると、長方形状または正方形状であり、フレーム枠材２１とリードフレーム条１０と一体的に成形された形状となっている。このブリッジ２２は、フレーム枠材２１とリードフレーム条１０の間に架かり、フレーム枠材２１にリードフレーム条１０を連結、保持している。この例では、ブリッジ２２の縦の長さＬ１は、約１．８ｍｍ、幅の長さＬ２は、約１．５ｍｍである。
【手続補正１０】
【補正対象書類名】明細書
【補正対象項目名】００２０
【補正方法】変更
【補正の内容】
【００２０】
なお、上記ブリッジ２２の説明を、フレーム枠材２１とリードフレーム条１０との間に架かるブリッジ２２として説明したが、リードフレーム条１０どうしの間に架かるブリッジ２２も同様の形状である。このブリッジ２２の場合は、リードフレーム条１０どうしを連結している。
【手続補正１１】
【補正対象書類名】明細書
【補正対象項目名】００２４
【補正方法】変更
【補正の内容】
【００２４】
この金型２５に搭載された第１のポンチ３０は、Ｚ方向に移動可能であり、図４（Ａ）に示すダイ２８の開口部内に移動することにより、リードフレームシート５０上のブリッジ２２を打ち抜き、切除することができる。
【手続補正１２】
【補正対象書類名】明細書
【補正対象項目名】００３０
【補正方法】変更
【補正の内容】
【００３０】
第１のポンチ３０とダイ２８の開口部は、フレーム枠材２１とリードフレーム条１０との間に架かるブリッジ２２に重ね合うよう位置決めされる。第１のポンチ３０が重なる領域は、ブリッジ２２の全領域のほか、後述するように、フレーム枠材２１とリードフレーム条１０のそれぞれが、ブリッジ２２に連結する部分にもわずかに重なるように、ブリッジ２２の縦の長さＬ１および／または第１のポンチ３０の縦の長さＬ３が設定されている。
【手続補正１３】
【補正対象書類名】明細書
【補正対象項目名】００３１
【補正方法】変更
【補正の内容】
【００３１】
金型２５を移動して、このように第１のポンチ３０とダイ２８の開口部上にブリッジ２２の位置をあわせた後、第１のポンチ３０を押圧し、ブリッジ２２を打ち抜く。これにより、ブリッジ２２は、フレーム枠材２１とリードフレーム条１０とから打ち抜かれ、切除される。また、このように、フレーム枠材２１とリードフレーム条１０の間を連結する複数のブリッジ２２を全て切除することにより、フレーム枠材２１とリードフレーム条１０を分離することが可能となる。
【手続補正１４】
【補正対象書類名】明細書
【補正対象項目名】００３２
【補正方法】変更
【補正の内容】
【００３２】
上述のブリッジ切除方法は、フレーム枠材２１とリードフレーム条１０との間を連結するブリッジ２２を例に説明したが、隣接するリードフレーム条１０どうしを連結するブリッジ２２を切除する場合も同様である。この方法により、リードフレーム条１０どうしを連結する複数のブリッジ２２を切除することで、多条に連結されたリードフレーム条１０を条分け（分離）することができる。
【手続補正１５】
【補正対象書類名】明細書
【補正対象項目名】００３３
【補正方法】変更
【補正の内容】
【００３３】
図６は、第１のポンチ３０でブリッジ２２を打ち抜いた後の様子を示す平面図である。ブリッジ２２が連結していたフレーム枠材２１とリードフレーム条１０との間には、打ち抜き部５２が形成される。
【手続補正１６】
【補正対象書類名】明細書
【補正対象項目名】００３４
【補正方法】変更
【補正の内容】
【００３４】
打ち抜き部５２は、フレーム枠材２１とリードフレーム条１０のそれぞれに第１のポンチ３０が重なった部分にも形成されるので、リードフレーム条１０に食い込み（ミスマッチ）が生じる。
【手続補正１７】
【補正対象書類名】明細書
【補正対象項目名】００３５
【補正方法】変更
【補正の内容】
【００３５】
このミスマッチがまったく生じないようにすると、リードフレーム条１０にブリッジ２２の根元部が残り、突起が生じる場合がある。そのようなブリッジ２２の残り（突起）が形成されると、後の工程においてその突起部が他のリードフレームを傷付けたりすることになるので、ブリッジ２２を除去する場合はブリッジ２２の残りが生じないように必ずミスマッチを形成する必要がある。
【手続補正１８】
【補正対象書類名】明細書
【補正対象項目名】００３８
【補正方法】変更
【補正の内容】
【００３８】
更に、本実施例の場合、第１のポンチ３０は隅部を面取りしている。この面取りを行わないとミスマッチ（食い込み部）の角部はほぼ直角となって、その角部が他のリードフレームを傷付けたり、角部がバリとなるなどの障害が発生する。しかし、本実施例のように面取りを形成すると、この面取りにより形成された打ち抜き部５２の縁部２４は緩やかな傾斜を有する。これにより、条分けされたリードフレーム条１０を製品として搬送するなどの取り扱い時に、縁部２４が他のリードフレームを傷付けたり、バリが形成されるなどの障害を回避することができる。
【手続補正１９】
【補正対象書類名】明細書
【補正対象項目名】００４３
【補正方法】変更
【補正の内容】
【００４３】
この金型２６に搭載された第２のポンチ３２は、Ｚ方向に移動可能であり、図７（Ａ）に示すダイ２９の開口部内に移動することにより、リードフレームシート５０上のブリッジ２２を打ち抜き、切除することができる。
【手続補正２０】
【補正対象書類名】明細書
【補正対象項目名】００４７
【補正方法】変更
【補正の内容】
【００４７】
第２のポンチ３２とダイ２９の開口部は、フレーム枠材２１とリードフレーム条１０との間に架かるブリッジ２２に重ねあうよう位置決めされる。第２のポンチ３２が重なる領域は、ブリッジ２２の全領域のほか、フレーム枠材２１とリードフレーム条１０のそれぞれが、ブリッジ２２に連結する部分にも重なるように、ブリッジ２２の縦の長さＬ１および／または第２のポンチ３２の直径の長さが設定されている。
【手続補正２１】
【補正対象書類名】明細書
【補正対象項目名】００４８
【補正方法】変更
【補正の内容】
【００４８】
金型２６を移動して、このように第２のポンチ３２とダイ２９の開口部上にブリッジ２２の位置をあわせた後、第２のポンチ３２を押圧し、ブリッジ２２を打ち抜く。これにより、ブリッジ２２は、フレーム枠材２１とリードフレーム条１０とから打ち抜かれ、切除される。また、このようにして、フレーム材２１とリードフレーム条１０の間を連結する複数のブリッジ２２を全て切除することにより、フレーム枠材２１とリードフレーム条１０とを分離することが可能となる。
【手続補正２２】
【補正対象書類名】明細書
【補正対象項目名】００４９
【補正方法】変更
【補正の内容】
【００４９】
上述のブリッジ切除方法は、フレーム枠材２１とリードフレーム条１０との間を連結するブリッジ２２を例に説明したが、隣接するリードフレーム条１０どうしを連結するブリッジ２２を切除する場合も同様である。この方法により、リードフレーム条１０どうしを連結する複数のブリッジ２２を切除することで、多条に連結されたリードフレーム条１０を条分け（分離）することができる。
【手続補正２３】
【補正対象書類名】明細書
【補正対象項目名】００５０
【補正方法】変更
【補正の内容】
【００５０】
図９は、第２のポンチ３２でブリッジ２２を打ち抜いた後の様子を示す平面図である。ブリッジ２２が連結していたフレーム枠材２１とリードフレーム条１０との間には、打ち抜き部５３が形成される。打ち抜き部５３は、フレーム枠材２１とリードフレーム条１０に第２のポンチ３２が重なった部分にも形成されるので、リードフレーム条１０に食い込み（ミスマッチ）が生じる。
【手続補正２４】
【補正対象書類名】明細書
【補正対象項目名】００５５
【補正方法】変更
【補正の内容】
【００５５】
１０  リードフレーム条
２１  フレーム枠材
２２  ブリッジ
２８、２９  ダイ
３０  第１のポンチ
３２  第２のポンチ
５０  リードフレームシート
１１０  リード
２２０  ブリッジ
２１０  フレーム枠材
５００  リードフレームシー